(57)【要約】【課題】冷蔵庫の扉開閉毎に照明装置の点灯・消灯が繰り返されるため、照明品位が悪く、点灯時間も長めになるため扉開時の消費電力も増加するといった課題を有していた。【解決手段】冷蔵庫の扉を閉めた場合に、可視光線領域内の波長を発光する発光ダイオードを実装した実装基板を用いる照明装置の点灯を、扉開閉検知手段によって扉の開状態を検知した時、発光ダイオードは消灯を継続し、所定時間経過後点灯するとした冷蔵庫を提供する。【選択図】図１
2011149686.tif 000002
【特許請求の範囲】
【請求項１】
前面が開口する貯蔵室と、発光素子を光源として前記貯蔵室内を照らす照明装置と、前記貯蔵室の扉の開閉を検知する扉開閉検知手段と、前記扉開閉検知手段によって前記照明装置を点灯および消灯する冷蔵庫において、前記扉開閉検知手段によって前記扉の開状態を検知し、前記照明装置は点灯時間を徐々に延ばして、所定時間経過後、連続して点灯状態を継続することを特徴とする冷蔵庫。
【請求項２】
扉開閉検知手段によって扉の開状態を検知した時、照明装置は消灯状態を継続し、所定時間経過後点灯することを特徴とする請求項１記載の冷蔵庫。
【請求項３】
照明装置に流す電流を制御する制御装置を備え、扉開閉検知手段によって扉の開状態を検知し、前記制御装置は前記照明装置に流す電流のＯＮ／ＯＦＦ時間の比率を制御して、前記照明装置は点灯と消灯を繰返し、徐々にＯＮ時間の比率を大きくして、所定時間経過後、ＯＮ時間状態を連続して点灯状態を継続することを特徴とする請求項１に記載の冷蔵庫。
【請求項４】
照明装置に流す電流を制御する制御装置を備え、扉開閉検知手段によって扉の開状態を検知した時、前記制御装置は前記照明装置に流す電流を所定時間ＯＦＦとして消灯を継続し、前記所定時間経過後、前記制御装置は前記照明装置に流す電流をＯＮとして点灯制御することを特徴とする請求項２に記載の冷蔵庫。
【請求項５】
制御装置は照明装置に流す電流のＯＮ／ＯＦＦ時間の比率を制御して、前記照明装置は点灯と消灯を繰返し、徐々にＯＮ時間の比率を大きくして点灯制御する請求項４に記載の冷蔵庫。
【請求項６】
照明装置に流す電流のＯＮ／ＯＦＦ通電制御を一定時間行い、その後前記照明装置への通電をＯＮ状態にして点灯状態を継続する請求項３または５に記載の冷蔵庫。
【請求項７】
制御装置は扉開時、ＰＷＭ制御によって照明装置に流す電流のＯＮ／ＯＦＦ比率（デューティ比）と周期Ｔを決定し、周期Ｔをあらかじめ決定した回数繰返した後、デューティ比率を変えてＯＮ時間比率を大きくすることを特徴とする請求項３または５に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図１１は特許文献１に記載された従来の製氷機の照明装置の斜視図であり、図１２は図１１の照明装置を製氷機の庫内天面に設置した概念図を示すものである。
【０００５】
図１１の照明装置１００において、実装基板１０１は平板状で、一面または両面に回路パターン（図示せず）が形成され、熱伝導性の良好なエポキシ樹脂系の基板や絶縁金属基板を使用する。白色の発光ダイオード１０２は砲弾状に形成され、ＧａＮ系の青色の発光ダイオードからの青色光を用いて蛍光材を励起して白色光を得る構造で、電流を通電する２本の通電端子１０３が導出される。
【０００６】
断熱板１０４は、ウレタン等の樹脂により平板状に形成され、複数の挿通孔が並設されて、実装基板１０１と発光ダイオード１０２との間に設けられる。ここで、発光ダイオード１０２は通電端子１０３が断熱板１０４の挿通孔に挿通され、実装基板１０１の回路パターンに半田付けされて実装され、複数個が実装基板１０１に並設される。尚、発光ダイオード１０２の発熱量が少ない場合には、断熱板１０４は廃止しても構わない。
【０００７】
図１２において、照明装置１００は、製氷機１１１の庫内の天面１１２に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード１０２への通電は行なわず、庫内は照射されていない。扉が開けられると、機械式スイッチやホールＩＣ等の電子式スイッチで開扉状態と判断され、発光ダイオード１０２に順方向電流が流れて、白色光が発光されて庫内が照射される。
【先行技術文献】
【特許文献】
【００１０】
【特許文献１】特開２００１−８２８６９号公報
【発明の概要】
【発明が解決しようとする課題】
【００１１】
しかしながら、上記従来の構成では、冷蔵庫の扉開閉毎に照明装置の点灯・消灯が繰り返され、特に発光ダイオードの場合、指向性があり、冷蔵庫内の収納物に光が跳ね返って利用者はまぶしさを感じたり、また発光ダイオードの照射方向が利用者側に向けられてい
ると目に光が入りやすく、特に夜など部屋のライトが消えた状態で冷蔵庫の扉を開放したとき、照明用の発光ダイオードが一気に点灯すると、眩しくて冷蔵庫内の収納物が逆に見づらいといった状況に陥りやすく、利用者が欲する収納物を的確に取り出せず、また収納位置が定まらず、冷蔵庫の扉を必要以上に開放状態にしたままとなり、省エネの発光ダイオードを照明として利用しているにもかかわらず、これによって外部から冷蔵庫内への熱侵入が増大し、冷却効率の低下を招き消費電力を増大させるといった課題を有していた。
【００１２】
本発明は、上記従来の課題を解決するもので、扉開閉検知手段によって照明装置の発光素子を点灯および消灯する冷蔵庫において、扉開閉検知手段によって扉の開状態を検知した時、一気に照明装置を点灯しないで、徐々に点灯することで、利用者の視覚への負担を軽減し、眩しさや光の反射による扉開放状態が必要以上に長くなるのを低減して、冷蔵庫全体の消費電力量の増大を阻止する冷蔵庫を提供することを目的とする。
【課題を解決するための手段】
【００１３】
上記従来の課題を解決するために、本発明の冷蔵庫は、冷蔵庫の扉を閉めた場合に、可視光線領域内の波長を発光する発光素子を実装した実装基板を用いる照明装置の点灯を、扉開閉検知手段によって扉の開状態を検知した時、扉開閉検知手段によって扉の開状態を検知し、発光素子は点灯時間を徐々に延ばして、所定時間経過後、連続して点灯状態を継続するとしたものである。
【００１４】
これによって、一気に照明装置を点灯しないで、徐々に点灯することで、利用者の視覚への負担を軽減し、眩しさや光の反射による扉開放状態が必要以上に長くなるのを低減して、冷蔵庫全体の消費電力量の増大を阻止することが可能となる。
【発明の効果】
【００１５】
本発明の冷蔵庫は、一気に照明装置を点灯しないで、徐々に点灯することで、利用者の視覚への負担を軽減するとともに、冷蔵庫全体の消費電力量の増大を阻止することができる。
【図面の簡単な説明】
【００１６】
【図１】本発明の実施の形態１における冷蔵庫の断面図
【図２】同実施の形態における照明装置の要部縦断面図
【図３】同実施の形態の冷蔵庫のブロック図
【図４】同実施の形態の冷蔵庫のフローチャート
【図５】同実施の形態の冷蔵庫のタイミングチャート
【図６】本発明の実施の形態２における冷蔵庫のフローチャート
【図７】本発明の実施の形態２における冷蔵庫のタイミングチャート
【図８】実施の形態３の冷蔵庫の発光ダイオードを奥面壁に配置した要部縦断面図
【図９】実施の形態３の冷蔵庫の発光ダイオードを天面壁に配置した要部縦断面図
【図１０】実施の形態３の冷蔵庫の発光ダイオードを側面壁に配置した要部横断面図
【図１１】従来の製氷機の照明装置の斜視図
【図１２】図６の照明装置を製氷機の庫内天面に設置した概念図
【発明を実施するための形態】
【００１７】
第１の発明は、前面が開口する貯蔵室と、発光素子を光源として前記貯蔵室内を照らす照明装置と、前記貯蔵室の扉の開閉を検知する扉開閉検知手段と、前記扉開閉検知手段によって前記照明装置を点灯および消灯する冷蔵庫において、前記扉開閉検知手段によって前記扉の開状態を検知し、前記照明装置は点灯時間を徐々に延ばして、所定時間経過後、連続して点灯状態を継続することにより、一気に照明装置を点灯しないで、徐々に明るく点灯していくことで、利用者の視覚への負担を軽減し、眩しさや光の反射による扉開放状
態が必要以上に長くなるのを低減して、冷蔵庫全体の消費電力量の増大を阻止することができる。
【００１８】
第２の発明は、特に第１の発明において、扉開閉検知手段によって扉の開状態を検知した時、照明装置は消灯状態を継続し、所定時間経過後点灯することにより、扉を開けた時、庫内を冷蔵庫外の周囲の明るさと同等またはそれ以下の状態にして、利用者に見せることで、利用者の目の負担を低減し、そこから徐々に明るくしていくので、照明装置による利用者の視覚への負担をより低減して、冷蔵庫全体の消費電力量の増大を阻止することができる。
【００１９】
第３の発明は、特に第１の発明において、照明装置に流す電流を制御する制御装置を備え、扉開閉検知手段によって扉の開状態を検知し、前記制御装置は前記照明装置に流す電流のＯＮ／ＯＦＦ時間の比率を制御して、前記照明装置は点灯と消灯を繰返し、徐々にＯＮ時間の比率を大きくして、所定時間経過後、ＯＮ時間状態を連続して点灯状態を継続することにより、一気に照明装置を点灯しないで、徐々に明るく点灯していくことで、利用者の視覚への負担を軽減し、眩しさや光の反射による扉開放状態が必要以上に長くなるのを低減して、冷蔵庫全体の消費電力量の増大を阻止することができる。
【００２０】
第４の発明は、特に第２の発明において、照明装置に流す電流を制御する制御装置を備え、扉開閉検知手段によって扉の開状態を検知した時、前記制御装置は前記照明装置に流す電流を所定時間ＯＦＦとして消灯を継続し、前記所定時間経過後、前記制御装置は前記照明装置に流す電流をＯＮとして点灯制御することにより、扉を開けた時、庫内を冷蔵庫外の周囲の明るさと同等またはそれ以下の状態にして、利用者に見せることで、利用者の目の負担を低減し、そこから徐々に明るくしていくので、照明装置による利用者の視覚への負担をより低減して、冷蔵庫全体の消費電力量の増大を阻止することができる。
【００２１】
第５の発明は、特に第４の発明において、制御装置は照明装置に流す電流のＯＮ／ＯＦＦ時間の比率を制御して、前記照明装置は点灯と消灯を繰返し、徐々にＯＮ時間の比率を大きくして点灯制御することにより、急激に明るく照明することを防止し、徐々に明るくなって点灯されるものであります。
【００２２】
第６の発明は、第３または第５の発明において、照明装置に流す電流のＯＮ／ＯＦＦ通電制御を一定時間行い、その後前記照明装置への通電をＯＮ状態にして点灯状態を継続するものあります。
【００２３】
第７の発明は、第３または第５の発明において、制御装置は扉開時、ＰＷＭ制御によって照明装置に流す電流のＯＮ／ＯＦＦ比率（デューティ比）と周期Ｔを決定し、周期Ｔをあらかじめ決定した回数繰返した後、デューティ比率を変えてＯＮ時間比率を大きくすることにより、よりスムーズに明るさを増して点灯制御でき、利用者の視覚への負担を低減できる。
【００２４】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００２５】
（実施の形態１）
以下、本発明の実施の形態１を図１から図４に基づいて説明する。図１は、本発明の実施の形態１における冷蔵庫の断面図である。照明装置２０は、冷蔵室１３内の左側壁面と右側壁面にそれぞれ縦方向に配設されている。扉開閉検知手段２４は機械式スイッチやホールＩＣ等の電子式スイッチで構成され、冷蔵室１３の冷蔵室扉２５の開閉状態を検出す
る。制御装置２６は基板収納部２８に設置されている。冷凍室ファン１０は冷凍室１１内の冷気を循環させるとともに、ダンパー１２が開状態の場合は冷蔵室１３へも冷気を循環させる。冷蔵室１３に冷気を必要としない場合は、ダンパー１２を閉状態とする。コンプレッサファン１４は機械室１５に設置されたコンプレッサ１６やコンデンサ（図示せず）を空冷する。電磁弁１７は冷却器１８への冷媒の流量を制御する。自動製氷機１９は、製氷皿２１を捻り、離氷動作を行う。温度検出手段２２は冷蔵庫各部の温度を制御装置２６に検知させる。
【００２６】
図２は同実施の形態における照明装置２０の要部縦断面図である。実装基板１は平板状で、一面または両面に回路パターン（図示せず）が形成され、熱伝導性の良好なエポキシ樹脂系の基板や絶縁金属基板を使用される。光源の発光素子（以下、発光ダイオード２という）は砲弾状に形成され、ＧａＮ系の青色発光ダイオードからの青色光を用いて蛍光材を励起して白色光を得る構造で、電流を通電する２本の通電端子３が導出される。断熱板４は、ウレタン等の樹脂により平板状に形成され、複数の挿通孔が並設されて、実装基板１と発光ダイオード２との間に設けられる。ここで、発光ダイオード２は通電端子３が断熱板４の挿通孔に挿通され、実装基板１の回路パターンに半田付けされて実装され、縦方向に複数個が実装基板１に並設される。尚、発光ダイオード２の発熱量が少ない場合には、断熱板４は廃止しても構わない。
【００２７】
次に縦方向に複数個の発光ダイオードが実装された実装基板１は、冷蔵庫側壁８内に設けられた凹部５に外枠９と一体成型されたスペーサー６によって保持されており、発光ダイオード２の発光部から一定の距離をおいて、ランプカバー７が発光ダイオード２の発光部全体を覆うように冷蔵庫庫内左右壁面に照明装置２０として配設されている。
【００２８】
図３は、本発明の実施の形態１における冷蔵庫のブロック図である。
【００２９】
図３において、制御装置２６内のマイクロコンピュータ３０は、温度検出手段２２より冷蔵庫各部の温度を取得し、冷凍室ファン１０，コンプレッサファン１４、電磁弁１７、自動製氷機１９に駆動指令を出す。電磁弁１７と自動製氷機１９は使用する電流量が大きいため、同時に駆動することがないようにマイクロコンピュータ３０にプログラミングされている。また、扉開閉検知手段２４により扉２５の開閉状態を検出し、開状態の場合は照明装置駆動回路３１により照明装置２０を駆動する。冷凍室ファン１０は冷凍室ファン駆動回路３２により駆動される。冷凍室ファン１０は冷凍室ファン駆動回路３２により、可変速で運転することが可能であり、温度検出手段２２の温度信号よりマイクロコンピュータ３０が冷凍室ファン１０の回転が必要と判断すると、その状態により、高速回転と低速回転を切り替えることができる。コンプレッサファン１４はコンプレッサファン駆動回路３３により駆動される。電磁弁１７は電磁弁駆動回路３４により駆動される。自動製氷機１９は自動製氷機駆動回路３５により駆動される。タイマカウント３６はマイクロコンピュータ３０に内蔵され、扉２５が閉状態になってからの経過時間を積算する。
【００３０】
図４は、本発明の実施の形態１における冷蔵庫の扉２５の開閉状態と照明装置２０の駆動制御に関するフローチャートである。
【００３１】
図５は、照明装置２０の発光ダイオード２の点灯と消灯の動作を横軸を時間単位として、各ステージ（１，２，３）の動作を表わしたタイミングチャートである。
【００３２】
ステップ１は、扉開閉検知手段２４からの信号が扉閉ならば、タイマカウント３６のタイマカウントをクリアし、ステップ１に戻る、また扉開閉検知手段２４からの信号が扉開ならば、ステップ２へ移行する。
【００３３】
ステップ２は、タイマカウント３６のカウントを開始し、また引数Ａを初期値の１に設定する。
【００３４】
ステップ３は、タイマカウント３６のカウント値がＴ１以上であれば、ステップ５へ移行し、またステップ３でのタイマカウント３６のカウント値がＴ１以下であれば、ステップ４へ移行する。
【００３５】
ステップ４は、発光ダイオード２を消灯のまま維持している。上記のようにステップ３、４の動作を行うことにより、図５のステージ１に示すとおり、冷蔵室扉２５が開放されたと扉開閉検知手段２４が検知しても、扉開からＴ１時間は照明装置２０の発光ダイオード２の点灯をせず消灯状態を維持となる。
【００３６】
ステップ５は、Ｔ１時間経過後に照明装置２０の発光ダイオード２が点灯したことを表している。
【００３７】
ステップ６は、タイマカウント３６がＴ２×Ａ（初期値は１）と比較し、カウント値がＴ２×Ａ以下ならば、ステップ５へ移行する、カウント値がＴ２×Ａ以上ならば、ステップ７へ移行する。
【００３８】
ステップ７は、照明装置２０の発光ダイオード２を消灯とする。
【００３９】
ステップ８は、タイマカウント３６がＴ３と比較し、カウント値がＴ３以下ならば、ステップ７へ移行する、カウント値がＴ３以上ならば、ステップ９へ移行する。
【００４０】
ステップ５，６、７、８の動作を行うことにより、図５のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【００４１】
ステップ９は、引数ＡにＰ値を加算した値を引数Ａとする。
【００４２】
ステップ１０は、Ｔ２×（Ａ＋Ｐ）のカウント値とＴ３を比較して、Ｔ２×（Ａ＋Ｐ）がＴ３より小さいならば、タイマカウント３６をクリアにしステップ５へ移行する、Ｔ２×（Ａ＋Ｐ）がＴ３より大きいならば、発光ダイオードを点灯にしたままステップ１へ移行する。
【００４３】
ステップ９，１０の動作を行うことにより、図５のステージ２に示すとおり、第２番目の周期Ｔ３期間の動作となる、Ｔ２×（Ａ＋Ｐ）期間照明装置２０の発光ダイオード２は点灯となる。
【００４４】
その後Ｔ３期間まで消灯となる。引数ＡにＰ値を加え、Ｔ２×ＡがＴ３より小さい間、点灯時間を徐々に長くなりながら、消灯する動作を繰り返し、Ｔ２×ＡがＴ３より大きくなると、ステージ３となり扉開の間、照明装置２０の発光ダイオード２は点灯になる。
【００４５】
したがって冷蔵室扉２５を開放して扉開閉検知手段２４が動作し、図５のステージ１のように、Ｔ１時間の間は開放していても消灯のまま維持し、Ｔ１時間経過後はステージ２の動作に移行し、所定時間Ｔ３に対する点灯時間をＴ２×Ａ（第１番目）、Ｔ２×（Ａ＋Ｐ）（第２番目）、Ｔ２×（Ａ＋Ｐ＋Ｐ）（第３番目）、・・・Ｔ２×（Ａ＋Ｐ＋・・・）（第Ｎ番目）のように、発光ダイオードに電流を流す時間を徐々に常に大きくして、点灯するＯＮ時間を長くし、ステージ３にように点灯時間がＴ３時間よりも大きくなると、冷蔵室扉２５が開放されている時間に対する所定時間の間、発光ダイオード２は点灯を継
続する。
【００４６】
よって、冷蔵室扉２５が開放されて、すぐに発光ダイオード２が点灯すると、特に発光ダイオード２は指向性があるため、収納物に反射によって、または直接光を受けると利用者の目に光が飛び込んできやすく冷蔵室１３内が逆に見えづらいため、本実施例のように、所定時間経過後点灯することにより、すなわち扉を開けた時、Ｔ１時間消灯のまま持続して、庫内を冷蔵庫外の周囲照明の明るさ以下の状態にして、利用者に庫内を見せることで、利用者の目の負担を低減し、そこから徐々に明るくしていくので、利用者にとって目に優しく、冷蔵室１３内の見づらさを低減することができ、照明装置による利用者の視覚への負担をより低減して、さらに冷蔵庫全体の消費電力量の増大を阻止することができる。
【００４７】
（実施の形態２）
実施の形態１はＴ３に対する点灯時間を常に徐々に大きくしながら点灯制御を行ったが、実施の形態２にすることで、消灯状態から点灯状態への移行状態をさらにスムーズに行うことができる。
【００４８】
ステップ１０１は、扉開閉手段２４からの信号が扉閉ならば、タイマカウント３６をクリアし、ステップ１に戻る、また扉開閉手段２４からの信号が扉開ならば、ステップ２へ移行する。
【００４９】
ステップ１０２は、タイマカウント３６のカウントを開始し、また引数Ａを初期値の１、引数Ｂ＝０に設定する。
【００５０】
ステップ１０３は、タイマカウント３６カウント値がＴ１以上であれば、ステップ１０５へ移行し、タイマカウント３６カウント値がＴ１以下であれば、ステップ１０４へ移行する。
【００５１】
ステップ１０４は、発光ダイオード２を消灯とする。ステップ３、４の動作を行うことにより、図７のステージ１０１に示すとおり、扉開からＴ１時間照明装置２０の発光ダイオード２を消灯となる。
【００５２】
ステップ１０５は、照明装置２０の発光ダイオード２を点灯とする。
【００５３】
ステップ１０６は、タイマカウント３６がＴ２×Ａ（初期値は１）と比較し、カウント値がＴ２×Ａ以下ならば、ステップ５へ移行する、カウント値がＴ２×Ａ以上ならば、ステップ７へ移行する。
【００５４】
ステップ１０７は、照明装置２０の発光ダイオード２を消灯とする。
【００５５】
ステップ１０８は、タイマカウント３６がＴ３と比較し、カウント値がＴ３以下ならば、ステップ７へ移行する、カウント値がＴ３以上ならば、ステップ９へ移行する。
【００５６】
ステップ１０５，１０６、１０７、１０８の動作を行うことにより、図７のステージ１０２に示すとおり、最初のＴ３期間の動作となる、Ｔ２×Ａ期間で照明装置２０の発光ダイオード２は点灯となり、その後Ｔ３期間まで消灯となる。
【００５７】
ステップ１０９は、引数ＢをＢ＝Ｂ＋１が５より小さいならば、ステップ１０５へ移行し、５より大きいならば、ステップ１１０へ移行する。
【００５８】
ステップ１１０は、引数ＡにＰ値を加算した値を引数Ａとし、引数Ｂを０とする。
【００５９】
ステップ１１１は、Ｔ２×（Ａ＋Ｐ）のカウント値とＴ３を比較して、Ｔ２×（Ａ＋Ｐ）がＴ３より小さいならば、タイマカウント３６をクリアにしステップ５へ移行する、Ｔ２×（Ａ＋Ｐ）がＴ３より大きいならば、発光ダイオードを点灯にしたままステップ１へ移行する。
【００６０】
ステップ１０９，１１０、１１０の動作を行うことにより、図７のステージ１０２に示すとおり、最初のＴ３期間のＴ２×Ａ期間の点灯動作を５回繰り返し、その後、図７のステージ１０２に示すとおり、第２番目の周期Ｔ３期間の動作となる、Ｔ２×（Ａ＋Ｐ）期間で照明装置２０の発光ダイオード２は点灯となる。
【００６１】
その後Ｔ３期間まで消灯となる。引数ＡにＰ値を加え、Ｔ２×ＡがＴ３より小さい間、点灯時間を徐々に長くなりながら、消灯する動作を繰り返し、Ｔ２×ＡがＴ３より大きくなると、ステージ１０３となり扉開の間、照明装置２０の発光ダイオード２は点灯になる。
【００６２】
以上のように、本実施の形態においては、冷蔵庫の扉２５を閉めた場合に、可視光線領域内の波長を発光する発光ダイオードを実装した実装基板１を用いる照明装置２０の点灯を、扉開閉検知手段２４によって扉２５の開状態を検知した時、発光ダイオード２は消灯を継続し所定時間Ｔ１経過後は次のように動作する。
【００６３】
すなわち、ステージ１０２のように、あらかじめ設定されたＴ３期間に対するＴ２×Ａ期間は照明装置２０の発光ダイオード２は点灯となり、Ｔ２×Ａの点灯時間経過後はＴ３期間まで消灯となる、この一連の動作をＢ回（実施例の場合は５回）繰り返し、次にＴ３に対する点灯時間をＴ２×（Ａ＋Ｐ）時間に延ばしてＢ回繰り返し、さらに点灯時間を延ばしてＢ回繰り返し、最終的にＴ２×ＡがＴ３より大きくなると発光ダイオード２への電流ＯＮ時間を持続し、点灯状態を継続する。
【００６４】
よって、利用者が冷蔵室扉２５を開放したときに、消灯状態からよりスムーズに徐々に点灯状態に発光ダイオード２が点灯するのを目にするので、指向性のある発光ダイオード２の光に対して室内の見づらさを低減することができ、冷蔵庫全体として消費電力量の低減を図ることができる。
【００６５】
また、上記のように、繰返す回数を５回と一定回数に固定して、点灯制御を行ったが、Ｔ３に対する同じ点灯時間を繰返す回数を徐々に減らしていってもよい。
【００６６】
これによって、消灯状態から点灯状態になる移行期間の発光ダイオード２の明るさをスムーズに制御できる。
【００６７】
また、扉２５の開時に、点灯までに消灯の間を持たせることにより、照明としての品位を向上させ、扉２５の開時の消費電力を抑制することが可能となる。
【００６８】
また、本発明の冷蔵庫は、扉開閉検知手段２４によって発光ダイオード２に流す電流を制御する制御装置を備え、扉開閉検知手段によって扉２５の開状態を検知した時、前記制御装置２６は発光ダイオード２に流す電流を所定時間ＯＦＦした後、電流のＯＮ／ＯＦＦ時間の比率のうちＯＮ時間を徐々に大きくして制御するとしたものである。
【００６９】
これによって、点灯時には照明装置２０がゆっくり点灯するため、照明としての品位を向上させ、扉２５の開時の消費電力を抑制することが可能となる。発光ダイオードのＯＮ
時間の長寿命化を図ることができる。
【００７０】
また本発明の冷蔵庫は、扉開閉検知手段２４によって発光ダイオード２に流す電流を制御する制御装置を備え、扉開閉検知手段によって扉２５の開状態を検知した時、前記制御装置２６は発光ダイオード２に流す電流を所定時間ＯＦＦした後、電流の同じＯＮ／ＯＦＦ時間を数回（実施例２では５回）繰り返し、その後ＯＮ時間を徐々に長くして制御するものである。
【００７１】
これによって点灯時には照明装置２０の発光ダイオード２がなめらかな点灯状態から、ゆっくり点灯時間を長くしていくため、高級感のある照明としての品位をさらに向上させることができる。
【００７２】
また実施の形態１では、ステップ３のように所定時間Ｔ１経過後、発光ダイオード２を点灯し、徐々に連続点灯する制御を示したが、所定時間経過しなくても、すなわちＴ１＝０でステップ５に進み、以下実施の形態１と同様に制御してもよい。
【００７３】
これによって一気に照明装置を点灯しないで、徐々に明るく点灯していくことで、利用者の視覚への負担を軽減し、眩しさや光の反射による扉開放状態が必要以上に長くなるのを低減して、冷蔵庫全体の消費電力量の増大を阻止することができる。
【００７４】
また実施の形態２でも同様にステップ１０３で所定時間Ｔ１経過後、発光ダイオード２を点灯していたが、所定時間経過しなくても、すなわちＴ１＝０でステップ１０５に進み、以下実施の形態２と同様に制御してもよい。
【００７５】
（実施の形態３）
上記実施の形態１、２では図１の冷蔵庫のように、照明装置２０が冷蔵室１３内の左右両方の側壁面に縦方向に形成され、具体的には、冷蔵室１３内の棚１３ａよりも前方に配置された場合に、発光ダイオード２の照明制御を上記実施の形態のように行っている。
【００７６】
図１のように上部に冷蔵室１３が利用者の顔の高さに配置される場合、冷蔵室１３内を照明する発光ダイオード２は、光軸に指向性があるため、特に光軸が冷蔵室１３の開口部方向に向いている場合は、利用者の目に発光ダイオード２の光が入りやすく扉２５が開放されたときに、発光ダイオード２の点灯時間を徐徐に延ばしていけば、利用者の目も馴染みやすく、庫内を見渡すことができる。
【００７７】
また上記以外に、発光ダイオード２が図８のように冷蔵室１３の奥面壁に配置され、冷蔵室１３の開口方向に向いて配置している場合には、利用者の目に光が入りやすいので、上記のような点灯時間を徐徐に延ばしていけば目に馴染みやすく、まぶしさを低減できる。
【００７８】
またランプカバー７は透明板とし、凹凸形状となっている。これによって発光ダイオード２の光軸は凹凸形状によって拡散するので目に入る光を低減することができる。またランプカバー７を半透明化することで光の拡散を図ることができる。
【００７９】
図９のように発光ダイオード２が冷蔵室１３の天面壁に前後方向に複数個並んで配置している場合、具体的には冷蔵室１３の天面壁に発光ダイオード２の光軸が鉛直下方に向かうように配置されている場合、指向性があるため、照射される範囲は光軸に対して約３０℃であるため、光軸が鉛直下方を向いていても上方から利用者の目に光が差込みやすい配置関係となっている。
【００８０】
また発光ダイオード２の光軸が鉛直下方向きに配置していない場合でも、ランプカバー７が光を拡散するように凹凸構造に形成されている場合、光が目に入り込みやすくなる。
【００８１】
したがって利用者の目から遠い位置となる奥側の発光ダイオード２から手前側に位置する発光ダイオード２に向かって順番に実施の形態１、２で示した点灯動作を徐々に行うことにより、まぶしさを低減し、消費電力量の増大を低減できる。
【００８２】
また奥側に配置する発光ダイオード２と手前側に配置する発光ダイオード２の明るさを変え、奥側から手前側に向かうほど光度を低く設定することで、利用者への負担を軽減できる。
【００８３】
また図１０は冷凍室１１と冷蔵室１３を左右に断熱区画する区画壁５０で形成した冷蔵庫の断面図であり、冷蔵室１３の前面開口部を開閉する冷蔵室ドア２５の開閉検知によって冷蔵室ドア２５が開放したときに点灯する複数の発光ダイオード２を実装した実装基板１を備えた冷蔵室照明装置２０と、冷凍室ドアが開放したときに点灯する複数の発光ダイオード２を実装した実装基板１を備えた冷凍室照明装置６０とを備え、冷蔵室１３の側面壁に冷蔵室照明装置２０が設置され、冷凍室１１の側面壁に冷凍室照明装置６０が設置されている。
【００８４】
冷蔵室１３の冷蔵室ドア２５のみ開放された場合は、冷蔵室照明装置２０のみが実施の形態１、２のように点灯時間を徐々に延ばして、所定時間経過後、連続して点灯状態を継続する点灯制御を行う。冷凍室ドア２５のみが開放された場合も同様に点灯制御される。
【００８５】
また冷蔵室照明装置２０が側面壁および天面壁の異なる２箇所に別れて配置している場合は同期して点灯時間を徐々に延ばして、所定時間経過後、連続して点灯状態を継続する点灯制御を行う。
【００８６】
これによって一気に照明装置を点灯しないで、よりスムーズに徐々に明るく点灯していくことで、利用者の視覚への負担を軽減し、眩しさや光の反射による扉開放状態が必要以上に長くなるのを低減して、冷蔵庫全体の消費電力量の増大を阻止することができる。
【産業上の利用可能性】
【００８７】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【符号の説明】
【００８８】
１  実装基板
２  発光ダイオード
２０  照明装置
２４  扉開閉検知手段
２５  扉
２６  制御装置
３６  タイマカウント
【図８】
2011149686.tif 000003
【図９】
2011149686.tif 000004
【図１０】
2011149686.tif 000005
【図１】
2011149686.tif 000006
【図２】
2011149686.tif 000007
【図３】
2011149686.tif 000008
【図４】
2011149686.tif 000009
【図５】
2011149686.tif 000010
【図６】
2011149686.tif 000011
【図７】
2011149686.tif 000012
【図１１】
2011149686.tif 000013
【図１２】
2011149686.tif 000014